(57)【要約】【課題】  シーソービームの支承部材を地上高２ｍ付近の高所に構設して、支承部周りの可動部位並びにビームと地面とのクリアランスを確保し、ビーム両端部に吊棒を吊設して門型ラーメンの枠組を構成し、吊棒下端部に横設した跨乗可能な一対のシートを上下揺動可能としてなる、安全、且つ快適な遊具としての門型シーソーを提供することを課題とする。【解決手段】  課題を解決するための手段として、地面に立設した一対の支柱の、地上高２ｍ付近に設定した頂位に横架材を架設し、該横架材の中央位付近に、シーソービームを天秤状に支承し、同ビーム両端部に吊棒を吊設して門型ラーメンの枠組となし、該吊棒下端部に横設した一対の跨乗用シートを上下に揺動可能としてなる門型シーソーを提供する。【選択図】図１
0003130094.tif 000002
【実用新案登録請求の範囲】
【請求項１】
地面に立設した一対の支柱（１）の、地上高２ｍ付近に設定した頂位に横架材（２）を架設し、該横架材の中央位付近に、シ−ソービーム（３）を天秤状に支承し、同ビーム両端部に吊棒（４）を吊設して門型ラーメンの枠組となし、該吊棒下端部に横設した跨乗用のシート（５）を上下に揺動可能としてなる門型シーソー。
【考案の詳細な説明】
【技術分野】
【０００１】  本考案は、遊戯施設の、遊具におけるシーソー類に関する。
【背景技術】
【０００２】  従来、遊具として、公園などの地面に設置されるシ−ソーは、支承台の地上高が比較的低く、シ−ソービームと地面とのクリアランスが比較的小さく設定され、容易に揺動遊技に供することができるが、遊戯中、同クリアランス及び支承台とビームとの可動部位など、ハザード要因に、人体や物体が接近し、侵入して接触・挟圧などの事故に繋がる虞がある。
【考案の開示】
【考案が解決しようとする課題】
【０００３】  本考案の解決しようとする課題として、従来のシ−ソーにおいて、シ−ソービーム（以下単にビームと呼ぶ）の支承台の地上高が低く、地面とのクリアランスが小さく設定され、遊戯中、同クリアランス及び支承台とビームとの可動部位などのハザード要因に、人体や物体が接近し、接触・挟圧などの事故に繋がる問題を解消するため、ビームの支承部材を地上高２ｍ付近の高所に構設し、支承部周りの可動部位並びにビームと地面とのクリアランスを確保し、ビーム両端部に吊棒を吊設して門型ラーメンの枠組を構成し、吊棒下端部に横設した跨乗可能なシートを上下揺動可能としてなる、安全、且つ快適な遊具としての門型シーソーを提供することを課題とする。
【課題を解決するための手段】
【０００４】  課題を解決するための手段として、地面に立設した一対の支柱の、地上高２ｍ付近に設定した頂位に、横架材を架設し、該横架材の中央位付近に、ビームを天秤状に支承してビーム両端部に吊棒を吊設して門型ラーメンの枠組となし、吊棒の下端部に横設した一対の跨乗用シートを上下に揺動可能としてなる門型シーソーを提供するものである。
【考案の効果】
【０００５】  本考案の門型シーソーは、支柱頂位の地上高２ｍ付近に架設した横架材にビームを、支承してビームと地面とのクリアランスを確保しており、上下に揺動するビームと、近接する人体や物体との接触・挟圧などの事故を未然に回避することができる。【０００６】  ビーム両端部の吊棒下端部に横設した一対の跨乗用シートは、ビーム両端部の上下揺動と共に、吊棒による小振幅の前後揺動を伴うが、シートの衝突対策として、通常のシ−ソーと同等の静止状態におけるクリアランスを確保することにより、ハザード要因の危惧を除くことができる。【０００７】  本考案の門型シーソー複数基を、互いに安全領域を確保して並設するものは、上述と同様に、安全な揺動動作を同時的に並行することができる。【０００８】  シートは、キャラクター、動物などの造形意匠を任意に採用し、着脱・交換可能とすることができる。【０００９】  本考案の門型シーソーは、上述の特性により、通常のシーソーに比較してハザード要因の少ない代替品として、従来の遊戯施設における遊具と共に活用することができる。
【考案を実施するための最良の形態】
【００１０】  地面に立設した一対の支柱１の、地上高２ｍ付近に設定した頂位に、横架材２を架設し、該横架材の中央位付近に、ビーム３中央位の支承具３ａにより、該ビームを天秤状に支承し、ビーム両端部に吊棒４を吊設して門型ラーメンの枠組となし、該吊棒４の下端部に横設した一対の跨乗用シート５を上下に揺動可能としてなる門型シーソーにより実現した。
【実施例１】
【００１１】  以下、本考案門型シーソーの一実施例を図面に従って説明する。  図１は、本考案一実施例の全形斜視図を示し、図２は、図１のＡ矢から視る立面図であって、一対の支柱１を基礎１ａにより、設置面ＧＬに立設し、地上高Ｈを２ｍ付近に設定した支柱頂位に、横架材２を架設し、該横架材の中央位付近に、ビーム３の中央部に付設した支承具３ａを嵌合して該ビームを天秤状に支承し、同ビーム両端部に吊棒４を吊設して門型ラーメンの枠組となし、吊棒４下端部に一対の跨乗用シート５を横設して上下に揺動可能としている。【００１２】  ビーム３の構成は、一対のビーム３と吊棒４とによる門型ラーメンの枠組み構造のものを図示したが、単一の桿状梁材や板状梁材のビームと吊棒とによる構造を適用してもよい。【００１３】  図３は、図１のＢ−Ｂ矢における部分詳細断面図であって、ビーム３の中央下位に、分割型の軸受３ｂを内装した支承具３ａを付設して横架材２に嵌合し、該ビームを天秤状に支承して揺動可能としている。【００１４】  上記、一対の跨乗用シート５は、静止状態、且つ、平衡状態において、可動部分の衝突対策として、設置面ＧＬとのクリアランスｈを０．４ｍ以上に設定する。【００１５】  また、本考案門型シーソーの複数基を並設するときは、相互間に安全領域を確保することとする。【００１６】  なお、シート５は、着脱・交換可能とし、キャラクター、動物などの造形意匠を任意に採用してもよい。
【実施例２】
【００１７】  実施例１の門型シ−ソーにおいて、ビーム３両端部と吊棒４との吊設部の隅角部分が、ハザード要因となる危惧を除去するため、図４に示す実施例においては、ビーム３両端部を下方へ滑らかな曲線状に彎曲成形して吊棒４を一体的に垂設し、門型ラーメンを構成している。
【産業上の利用可能性】
【００１８】  本考案の門型シ−ソーは、都市公園法施行令における遊戯施設としての遊具の適用を目途としている。
【図面の簡単な説明】
【００１９】
【図１】本考案門型シーソーの斜視図である。（実施例１）
【図２】図１のＡ矢から視る立面図である。（実施例１）
【図３】図１及び図４のＢ−Ｂ矢における部分詳細断面図である。（実施例１及び実施例２）
【図４】本考案門型シーソーの、他の実施例の斜視図である。（実施例２）
【符号の説明】
【００２０】１    支柱
１ａ  基礎
２    横架材
３    シ−ソービーム
３ａ  支承具
３ｂ  軸受
４    吊棒
５    シート
Ｈ    地上高（ビーム支承位の地上高、２ｍ近付に設定する）
ｈ    クリアランス（静止状態のシート５と設置面ＧＬとの隙間を０．４ｍ以上に設定する）
ＧＬ  設置面
【図１】
0003130094.tif 000003
【図２】
0003130094.tif 000004
【図３】
0003130094.tif 000005
【図４】
0003130094.tif 000006